(57)【要約】【課題】顧客が見易い表示面となるように、表示角度を変更できるサイドパネルを有する商品陳列用什器と表示用サイドパネルを提供する。【解決手段】本商品陳列用什器１０は、上面と前面が開いた箱体２０の内側に商品陳列領域を有し、該箱体の左と右の内側面に沿って、抜き差し可能に設置できる２枚の表示用サイドパネル１１，１２を有する商品陳列用什器である。該２枚のサイドパネル１１，１２は、一定の厚み幅を有する多角形の厚板状体であって、該多角形の縁辺面に２の表示面を有し、一の表示面１１１を顧客側に向けた場合、前傾する表示面となり、他の一の表示面１１３を顧客側に向けた場合、当該他の一の表示面が後傾する表示面となることを特徴とする。表示用什器１０やサイドパネルは板紙材料で好適に製作できる。【選択図】  図１
2018198671.tif 000002
【特許請求の範囲】
【請求項１】
上面と前面が開いた箱体の内側に商品陳列領域を有し、該箱体の左右の内側面に沿って、抜き差し可能に設置できる２枚の表示用サイドパネルを有する商品陳列用什器において、該２枚の表示用サイドパネルが、一定の厚み幅を有する多角形の厚板状体であって、該多角形の複数の縁辺面中に２の表示面を有し、該２の表示面の内、一の表示面を顧客側に向けて設置した場合、当該一の表示面が顧客側に前傾する表示面となり、他の一の表示面を顧客側に向けて設置した場合、当該他の一の表示面が後傾する表示面となることを特徴とする商品陳列用什器。
【請求項２】
表示用サイドパネルが、六角形の厚板状体であり、縁辺の面である上面と底面が、設置時に水平かつ平行な面に形成され、前記一の表示面と他の一の表示面の間に上面が介在することを特徴とする請求項１記載の商品陳列用什器。
【請求項３】
前記前傾する表示面とその面が垂直面である場合の面に対する角度が、３度から２５度の範囲にあることを特徴とする請求項１または請求項２記載の商品陳列用什器。
【請求項４】
表示用サイドパネルが、板紙からなる六角形の中空厚板状体であり、表示用サイドパネルを直立させた場合に、一の表示面とその面が垂直面である場合の面に対する角度が、３度から２５度の範囲にあることを特徴とする請求項１または請求項２記載の商品陳列用什器。
【請求項５】
商品陳列用什器に使用する表示用サイドパネルであって、打ち抜いた板紙を組み立てした構成からなる六角形の中空厚板状体であり、一の表示面とその面が垂直面である場合の面に対する角度が、３度から２５度の範囲にあることを特徴とする表示用サイドパネル。
【発明の詳細な説明】
【技術分野】
【０００１】
本発明は、商品陳列用什器と表示用サイドパネルに関する。詳しくは、販売促進等のための表示面を有するサイドパネル付き商品陳列用什器であって、当該サイドパネルの表示面の角度を顧客の観察する位置に応じて、可変にできることを特徴とする商品陳列用什器とそれに使用する表示用サイドパネルに関する。
【背景技術】
【０００２】
薬品や化粧品、食料品等の店舗では、小型紙容器や小瓶に入れた商品を陳列棚に並べ、顧客が手に取って見易くして販売するのが近年の傾向である。通路の両側に立てるラック（スチール棚等）には、顧客の足元から、背伸びして見上げる高さにまで商品を並べ、豊富な商品を効率良く陳列するのが通常である。
このような商品陳列では、特定の商品について、特に顧客の注意を引き易くする目的で、広告文言を同時に表示できる商品陳列用什器に入れて陳列することが行われている。
しかし、従来のこの種の什器では、広告文言を表示する面部分が、所定の表示面に限定されているので、ラックの中段や下段に陳列した際は見易いが、ラックの上段になると視角度的に表示文言が見難くなるという問題があった。
そこで、本発明は陳列高さに応じて、表示文言を見易く調整できる商品陳列用什器とそれに使用する表示用サイドパネルを提供することを課題とするものである。
【０００３】
（従来技術）特許文献１には、物品を上下２段のひな段に陳列するショーケースが記載されているが、このショーケースには広告文言を表示する部位がないので、本願とは相違している。特許文献２には、商品を大きく露出させて訴求力のある陳列を行う商品陳列具が記載されているが、広告文言を表示することについては、特に記載されていない。
特許文献３は、商品陳列用具に関し、商品陳列スペースを自在に調節できる構造にされている。背面に広告表示が可能にされているが、広告面の角度を観察者の視角度により、調整することは記載していない。
【先行技術文献】
【特許文献】
【０００４】
【特許文献１】特開２００１−１４９１８９号公報
【特許文献２】特開２００２−  ７８５８２号公報
【特許文献３】意匠登録第１３３６０４１号公報
【発明の概要】
【発明が解決しようとする課題】
【０００５】
そこで、本発明は陳列棚の高さ位置に応じて、商品陳列用什器の広告文言等の表示を見易く調整でき、簡単に組み立てできる商品陳列用什器と表示用サイドパネルを提供することを課題とする。
【課題を解決するための手段】
【０００６】
上記課題を解決するために、本発明の要旨の１に係る商品陳列用什器は、上面と前面が開いた箱体の内側に商品陳列領域を有し、該箱体の左右の内側面に沿って、抜き差し可能に設置できる２枚の表示用サイドパネルを有する商品陳列用什器において、該２枚の表示用サイドパネルが、一定の厚み幅を有する多角形の厚板状体であって、該多角形の複数の縁辺面中に２の表示面を有し、該２の表示面の内、一の表示面を顧客側に向けて設置した場合、当該一の表示面が顧客側に前傾する表示面となり、他の一の表示面を顧客側に向けて設置した場合、当該他の一の表示面が後傾する表示面となることを特徴とする、ものである。
【０００７】
上記商品陳列用什器において、表示用サイドパネルが、六角形の厚板状体であり、縁辺の面である上面と底面が、設置時に水平かつ平行な面に形成され、前記一の表示面と他の一の表示面の間に上面が介在するようにすることができる。また、前傾する表示面とその面が垂直面である場合の面に対する角度が、３度から２５度の範囲にある、ようにすることができる。
さらに、表示用サイドパネルが、板紙からなる六角形の中空厚板状体であり、表示用サイドパネルを直立させた場合に、一の表示面とその面が垂直面である場合の面に対する角度が、３度から２５度の範囲にある、ようにすることもできる。
【０００８】
上記課題を解決するために、本発明の要旨の２に係る表示用サイドパネルは、商品陳列用什器に使用する表示用サイドパネルであって、打ち抜いた板紙を組み立てした構成からなる六角形の中空厚板状体であり、一の表示面とその面が垂直面である場合の面に対する角度が、３度から２５度の範囲にあることを特徴とする。
【発明の効果】
【０００９】
本発明に係る商品陳列用什器によれば、店舗内を有効に利用するために、顧客の目の高さよりも高い位置に商品陳列用什器を設置する場合にも、表示用サイドパネルの表示面を前傾角度にできるので、顧客にとって見易い表示となり確実な情報を伝えられ易く、陳列効果が高まる。
また、商品陳列用什器を顧客の目の高さと同等またはより低い位置において商品を陳列する場合にも、表示用サイドパネルを反転して置くことだけで、表示面が後傾表示となるので、顧客にとって表示を見易くできる。すなわち、商品陳列用什器をどのような高さ位置に設置する場合にも表示用サイドパネルの表示内容を効果的に確実に顧客に伝達できる効果を有する。
【００１０】
また、表示用サイドパネルが、側面視六角形の厚板状体であり、縁辺の面である上面と底面が設置時に水平かつ平行な面に形成され、前記一の表示面と他の一の表示面との間に上面が介在するようにする場合は、適切な前傾と後傾角度の表示面が得られる。
また、前記前傾する表示面とその面が垂直面である場合の面に対する角度が、３度から２５度の範囲にある、ようにする場合は、顧客が通常見上げる角度において、適切に見易い表示ができる。
さらに、表示用サイドパネルが、板紙からなる側面視六角形の中空厚板状体であり、表示用サイドパネルを直立させた場合に、一の表示面とその面が垂直面である場合の面に対する角度が、３度から２５度の範囲にある、ようにする場合は、表示用サイドパネルが前傾で見易い角度になり、また、板紙材料からなるので軽量であり、容易に製作できる効果がある。
【００１１】
本発明の表示用サイドパネルは、打ち抜いた板紙を組み立てした構成からなる中空の六角形の厚板状体であり、表示用サイドパネルを直立させた場合に、一の表示面とその面が垂直面である場合の面に対する角度が、３度から２５度の範囲にあるようにされているので、前傾で見易い角度になり、また、板紙材料からなるので軽量、かつ容易に製作できる効果がある。
【図面の簡単な説明】
【００１２】
【図１】商品陳列用什器の使用状態を示す斜視図である。
【図２】商品陳列用什器の他の使用状態を示す斜視図である。
【図３】表示用サイドパネルを示す斜視図である。
【図４】表示用サイドパネルの各種形状を示す側面図である。
【図５】箱体のブランク板を示す図である。
【図６】表示用サイドパネルのブランク板を示す図である。
【図７】表示用サイドパネルの組立工程を示す図である。
【図８】水平方向視野と識別限界等を説明する図である。
【図９】垂直方向視野と識別限界等を説明する図である。
【発明を実施するための形態】
【００１３】
以下、本発明の実施形態について、図面を参照して詳細に説明する。
図１は、商品陳列用什器の使用状態を示す斜視図である。
本発明の商品陳列用什器１０は、上面と前面が開いた箱体２０と、該箱体２０の左右の内側面に沿って設置する表示用サイドパネル１１，１２を有している。箱体２０は低い前面板２１と高い背面板２４を有している。箱体２０の左右端は、側面板２２，２３で区切られている。箱体２０の内側が商品陳列領域となり、顧客は、前面板２１側に立って商品や表示を見ることになる。
表示用サイドパネル１１，１２は、自立可能な厚みを有する板状体であり、箱体２０の左右内側面に沿って、抜き差し可能に設置できる態様にされている。
【００１４】
該２枚の表示用サイドパネル１１，１２は、共に側面から見た場合、多角形の厚板状体にされている。図１の例では、その多角形の上面１１２，１２２を間にする縁辺の面に表示面１１１，１２１，１１３，１２３が形成されている特徴がある。
表示面のうち、一の表示面１１１，１２１を顧客側に向けて設置した場合、垂直よりはその上側が顧客側に接近する前傾表示面となり、他の一の表示面１１３，１２３を顧客側に向けて設置した場合、当該表示面は後傾する表示面となる特徴を有している。
【００１５】
図１の場合、前傾表示面である一の表示面１１１，１２１が顧客側に向いている。図示されていないが、この表示面には商品名やその効能等を表示するものである。
前傾とは、下向きの面とすることであり、顧客の見易さを改善する目的である。
この状態は、商品陳列用什器１０を顧客が見上げるような高い位置（ラックの最上段等）に設置した場合でも、顧客が表示面１１１，１２１の内容を視認し易くし、陳列効果を高める。
なお、商品陳列領域に入れる商品は図示していないが、直立または前倒れしないように、少し上向き斜めに陳列する。
【００１６】
図２は、商品陳列用什器の他の使用状態を示す斜視図である。
この状態では、表示用サイドパネル１１，１２が、図１の状態から反転して逆向きに設置されている。すなわち、先の一の表示面１１１，１２１は顧客とは反対側に向けられており、他の一の表示面１１３，１２３が顧客側に向けて設置されている。
この状態は、表示面１１３，１２３は後傾表示面であり、商品陳列用什器１０を顧客の正面または見降ろすような低い位置に置いた場合でも、顧客が表示面の内容を視認し易くする効果を有する。
【００１７】
図３は、表示用サイドパネルを示す斜視図である。表示用サイドパネル１１の好ましい例を図示しているがこの例に限定されるものではない。
正面視右側のサイドパネル１１を例として説明するが、左側のサイドパネル１２も同様である。サイドパネル１１は、四角形以上の多角形状に形成されるが、実際には、図３のような六角形程度までとなる。
【００１８】
図３の場合、表示用サイドパネル１１は、側面視六角形に形成されており、全体としては、一定の厚み幅ｄを有する厚板柱状体となっている。箱体２０の横幅にもよるが、厚みｄは、３０〜８０ｍｍ程度にできる。
厚板柱状体の縁辺周囲に形成される複数の平面（六角形の場合は６面）を縁辺面ということとすると、この縁辺面の一つである上面１１２と底面１１５は設置時に略水平になり、かつ相互に平行な面に形成されている。
この上面１１２を間にする（上面１１２が介在する）両側の二つの表示面の内、一の表示面１１１を顧客側に向けて設置した場合、表示面１１１が垂直の場合よりは上方が顧客側に接近する前傾表示面となり、他の一の表示面１１３を顧客側に向けて設置した場合は、後傾表示面となるようにされている。
【００１９】
表示用サイドパネルの脚に近い小さな下部面１１４，１１６は、箱体２０の内側に隠れるので表示面には使用されない。下部面１１６を前傾表示面（表示面１１１）に対して、角度βの凹角に屈曲して形成するのは、底面１１５の長さｈを箱体の幅に合わせて表示用サイドパネル１１の停止位置を安定させるためである。ただし、このようにすることには限定されない。一の表示面１１１である前傾表示面とその面が垂直である場合の面に対する角度は、３度から２５度の範囲にあるのが好ましい。
「その面が垂直面である場合の面」とするのは、垂直面を明確にするためで、表示面１１と上辺を共通にする垂直面のことである。
【００２０】
図４は、表示用サイドパネルの各種形状を示す側面図である。いずれも一定の厚み幅を有する板状体であるが、側面形状のみを図示している。表示面１１１が前傾面である。
図４（Ａ）は、四角形状の場合で、上面を省略し、表示面１１１，１１３と背側下部面１１４を設けた形態である。
図４（Ｂ）は、同様に四角形状であって、表示面１１１，１１３と上面１１２を設けた形態である。
図４（Ｃ）は、五角形状であって、表示面１１１，１１３と上面１１２、および背側下部面１１４を設けた形態である。
図４（Ｄ）は、図３に例示した形態であり、背側下部面１１４と前側下部面１１６を有している。この場合は、底面１１５の長さを箱体の幅に合わせてあるので、凹角部βを有するようになる。これにより、サイドパネルを設置後に安定した状態にできる。
ただし、（Ａ），（Ｂ），（Ｃ）においても箱体２０側に安定する工夫をすれば、サイドパネルの位置がずれるようなことはない。
表示面１１とその面が垂直面である場合の面との角度αは、３度から２５度程度が好ましい。より好ましくは、５度から２０度程度の角度範囲である。２５度を超える場合は見ることはできるが、陳列してある商品自体が見難くなる。
【００２１】
次に、人間の視覚特性について説明する。
図８は、水平方向視野と識別限界等を説明する図である。
右目の最大視野は、内側に約６０度、外側に約９４度程度となる。色彩弁別限界は６０度程度、記号識別限界は３０度程度、文字判読限界は１０度程度である。
【００２２】
図９は、垂直方向視野と識別限界等を説明する図である。
視野の上限は、５０〜５５度程度、下限は、７０〜８０度程度であり、人が正立した場合は下方が見易い状態になる。また、色彩弁別限界は上方に３０度程度、下方に４０度程度となる。表示装置の適正範囲は、水平から下方３０度の角度範囲であり、眼からの距離は５００ｍｍ〜７００ｍｍの範囲となる。図９において、ハッチングを施した円環断片状部分Ｇがその範囲に該当する。
従って、人が見上げて表示を見る場合には、表示面が前傾している状態が、奥行が小さくなるので表示の全範囲が、表示装置の適正範囲Ｇに入り易く好ましいことになる。
【００２３】
次に、商品陳列用什器のブランク板について説明する。
図５は、箱体のブランク板を示す図である。
商品陳列用什器１０の箱体２０は、木材やプラスチック板でも製作できるが、板紙を打ち抜きし組立てすることで、簡易に製作できる。
商品陳列用什器１０の箱体２０は、図５図示のような、ブランク板の実線部分を打ち抜きし、破線部分を折り曲げして製作できる。
【００２４】
箱体２０は、上面と前面が開いた箱体であるから、上面板は無く、前面板２１も低い高さに形成されている。前面板２１と背面板２４、側面板２２，２３部分は２枚の板紙が重なる構成にされている。底板２５も同様であるが、背面板２４と前面板２１、および側面板に延長して設けられた材料が相互に重なるようにされている（図１参照）。
背面板（内側）上部の糊代と図５において左端の糊代を接着し、背面板２４の内面と外面間を接着する程度で、他の箇所は接着しないでも箱体２０は、通常の使用に支障ない強度を維持できる。
【００２５】
図６は、表示用サイドパネルのブランク板を示す図である。
商品陳列用什器１０の表示用サイドパネル１１，１２は、木材やプラスチック板でも製作できるが、板紙を打ち抜きし組立てすることで、簡易に製作できる。
図６において、縁辺にある表示面１１１,１１３、上面１１２、下部面１１４，１１６、底面１１５には符号を付してある。表示面１１３の両側の６角形の面部分は側面となる部分であり、この面にも広告文言等の表示をしても良いものである。上面１１２も同様である。
符号ｎを付した部分は対面する面と重なる糊付部分であるが、実際に接着しなくても、紙層の重なりだけで、組み込みした形状を維持できる。符号ｓを付した部分は、切り込みｋに差し込みする差し込み片を意味する。
【００２６】
図７は、表示用サイドパネルの組立工程を示す図である。
図６のブランク板の実線部を切断し、破線部に沿って折り曲げし、図７のように、上面１１２、表示面１１３を中心にし、その両側の紙片を立ち上げする。その後、対面する差し込み片ｓを切り込みｋに差し込みすることで、表示用サイドパネル１１が完成する。
表示用サイドパネル１２のブランク板や組み立て工程は、表示用サイドパネル１１と同様であり、容易に類推できるので重複しては記載しない。
【００２７】
板紙材料には、通常の板紙の他、ポリエチレンやポリプロピレンとの片面または両面ラミネート紙を使用することができ、樹脂含浸紙であっても良い。両面段ボールや片面段ボールであっても良い。板紙と言っているが、プラスチック板材であっても良いものである。
また、板紙材料に対して、彩色や模様を施すことも構わない。
【実施例】
【００２８】
（実施例１）
以下に、実施例を記載するが、各部の寸法や材質は、当該実施例に限定されず、特許請求の範囲を逸脱しない範囲で変更できるものである。
箱体２０の材料として、４６判４０ｋｇの板紙を使用し、必要な表示等の印刷を行った後、図５図示のブランク板を打ち抜いて作製した。なお、箱体２０の横幅Ｈ１が４５２ｍｍ、前面板２１の高さＴ２が６０ｍｍ、背面板２４の高さＴ１が２５０ｍｍ、底板２５の奥行Ｈ２が２５０ｍｍ、になるようにした。
【００２９】
表示用サイドパネル１１，１２は、箱体２０の内部にほぼ納まるようにした。具体的には、高さが２５０ｍｍ、底面１１５の長さｈが２４９ｍｍ、厚みｄを５４ｍｍとした。また、凹角部の角度βが１６０度になるようにした（図３参照）。なお、表示用サイドパネル１１，１２の材料も、４６判４０ｋｇの板紙とした。
【００３０】
ブランク板を打ち抜きした後、前述のように、箱体２０と表示用サイドパネル１１，１２を折り畳みし、かつ部分的に接着し、表示用サイドパネル１１，１２を箱体２０内に設置することで、図１または図２図示の商品陳列用什器１０を完成することができた。
【００３１】
（実施例２）
実施例１と同一の材料を使用し、箱体２０と表示用サイドパネル１１，１２を作製した。
ただし、凹角部の角度βは１４５度になるようにした。その他の条件は、実施例１と同様にした。
【００３２】
完成した実施例１の商品陳列用什器１０は、図４（Ｄ）の角度αが、約５．５度となった。
一方、実施例２の商品陳列用什器１０は、角度αが、約９度となった。
この実施例１と実施例２の商品陳列用什器１０に商品を陳列し、好適に使用できた。
特に、顧客の目の高さよりも高い位置に商品陳列用什器１０を設置する場合、図１のように、表示用サイドパネル１１，１２の表示面１１１，１２１が前傾するようにした結果、顧客の注意を高め易い効果があった。
【符号の説明】
【００３３】
１０    商品陳列用什器
１１，１２  表示用サイドパネル
１１１，１１３，１２１，１２３  表示面
１１２，１２２  上面
１１４，１１６  下部面
１１５  底面
２０    箱体
２１    前面板
２２，２３  側面板
２４    背面板
２５    底板
【図１】
2018198671.tif 000003
【図２】
2018198671.tif 000004
【図３】
2018198671.tif 000005
【図４】
2018198671.tif 000006
【図５】
2018198671.tif 000007
【図６】
2018198671.tif 000008
【図７】
2018198671.tif 000009
【図８】
2018198671.tif 000010
【図９】
2018198671.tif 000011